(57)【要約】      （修正有）【課題】簡易な回路構成により、ボツ音の発生を低減する。【解決手段】ファントム電源回路１０であって、コンデンサマイクロホンに電源を供給するファントム電源ＰＷと、コンデンサマイクロホンが接続される入力側端子１と、出力機器が接続される出力側端子２と、入力側端子と出力側端子とを接続する信号線３と、ファントム電源と信号線との間に接続されるファントム電源のスイッチＳＷ１０と、スイッチの作動時にファントム電源から発生するパルス状電流を検出する検出回路５と、検出回路５がパルス状電流を検出したとき、出力信号を減衰させる減衰回路６と、を有する。信号線３は、基準電位に接続する基準電位線（３ａ）と、出力信号が流れる出力信号線３ｂ、３ｃと、を備える。ファントム電源とスイッチとは、基準電位線と出力信号線との間に直列に接続され、検出回路は、スイッチと基準電位線との間に接続される。【選択図】図１
2017092589.tif 000002
【特許請求の範囲】
【請求項１】
コンデンサマイクロホンに電源を供給するファントム電源と、
前記コンデンサマイクロホンが接続される入力側端子と、
前記コンデンサマイクロホンからの出力信号が入力される出力機器が接続される出力側端子と、
前記入力側端子と前記出力側端子とを接続する信号線と、
前記ファントム電源と前記信号線との間に接続される前記ファントム電源のスイッチと、
前記スイッチの作動時に前記ファントム電源から発生するパルス状電流を検出する検出回路と、
前記検出回路が前記パルス状電流を検出したとき、前記出力信号を減衰させる減衰回路と、
を有してなり、
前記信号線は、基準電位に接続する基準電位線と、前記出力信号が流れる出力信号線と、を備え、
前記ファントム電源と前記スイッチとは、前記基準電位線と前記出力信号線との間に直列に接続され、
前記検出回路は、前記スイッチと前記基準電位線との間に接続される、
ことを特徴とするファントム電源回路。
【請求項２】
前記減衰回路は、
前記出力信号線に直列に接続される減衰抵抗と、
前記検出回路の前記パルス状電流の検出状態に応じて作動するスイッチ回路と、
前記減衰抵抗と並列に接続されるリレー接点を備え、前記スイッチ回路の作動により前記リレー接点が開閉するフォトリレーと、
を備える、
請求項１記載のファントム電源回路。
【請求項３】
前記スイッチ回路は、前記減衰抵抗の前記入力側端子側の端子と、前記基準電位線と、の間に接続される、
請求項２記載のファントム電源回路。
【請求項４】
前記スイッチ回路は、前記ファントム電源と前記スイッチとの接続点と、前記基準電位線と、の間に接続される、
請求項２記載のファントム電源回路。
【請求項５】
前記検出状態は、第１検出状態と第２検出状態とを備え、
前記フォトリレーは、前記検出状態が前記第１検出状態のとき、前記リレー接点を開く、
請求項２記載のファントム電源回路。
【請求項６】
前記検出状態は、第１検出状態と第２検出状態とを備え、
前記フォトリレーは、前記検出状態が前記第２検出状態のとき、前記リレー接点を閉じる、
請求項２記載のファントム電源回路。
【発明の詳細な説明】
【技術分野】
【０００１】
本発明は、コンデンサマイクロホンに給電するファントム電源回路に関する。
【背景技術】
【０００２】
コンデンサマイクロホン（以下「マイクロホン」という。）は、マイクロホンが備えるインピーダンス変換器などを動作させるための電源の供給を必要とする。マイクロホンの電源供給には、ＪＥＩＴＡ  ＲＣ−８１６２Ａ（マイクロホンの電源供給方式）に規定されるファントム給電方式が用いられる。
【０００３】
ファントム給電方式は、ミキサーやアンプユニットなどの外部機器側に備えられた直流電源（ファントム電源）から、マイクロホンの音声信号の出力信号線であるホット側信号線とコールド側信号線とを介して、マイクロホンに直流電流を供給する。ファントム電源は、給電抵抗を介してホット側信号線とコールド側信号線とのそれぞれに接続される。そのため、ファントム電源は、ホット側信号線とコールド側信号線とに等しく分配された直流電流を供給することができる。
【０００４】
マイクロホンと外部機器との接続や切断は、通常、マイクロホンに給電するファントム電源がオフ状態の時に行われる。しかし、マイクロホンと外部機器との接続や切断は、マイクロホンとマイクロホンの使用者などの身体との接触や、ファントム電源のオン・オフ状態の確認不足などにより、ファントム電源がオン状態の時に行われる場合がある。この場合、マイクロホンとファントム電源とを接続する端子間の接続または切断のタイミングが、ホット側端子とコールド側端子との間で異なると、ファントム電源から衝撃音を伴うパルス状電流（以下「パルス状電流」という。）が出力される。
【０００５】
このパルス状電流は、マイクロホンの音声信号の出力信号線に流れて、音声信号と共に外部機器を介してスピーカなどの出力機器に入力される。この場合、出力機器からは大きな音、いわゆるボツ音が発生する。出力機器は、このボツ音の大きさによっては故障する。
【０００６】
このようなマイクロホンとファントム電源との接続時や切断時のボツ音の発生を低減する手法として、パルス状電流を検出する検出回路と、マイクロホンの出力を制限する制限回路と、を備えたファントム電源回路が提案されている（例えば、特許文献１）。
【０００７】
検出回路は、トランスとコンデンサと抵抗と第１トランジスタ回路とを有してなる。トランスは、マイクロホンのホット側信号線とコールド側信号線との間に接続され、マイクロホンとファントム電源とのホット側端子、またはコールド側端子のいずれか一方が先に切断または接続されると、パルス状電流を流す。検出回路は、トランスにパルス状電流が流れると、第１トランジスタ回路を電流の流れるオン状態にする。
【０００８】
制限回路は、第２トランジスタ回路と発光ダイオードとフォトＭＯＳリレーと抵抗とを有してなる。制限回路は、検出回路の第１トランジスタ回路がオン状態になると、発光ダイオードを消灯させてホット側信号線とコールド側信号線とに設けられたフォトＭＯＳリレーの接点を解放させる。フォトＭＯＳリレーの接点が解放されると、マイクロホンからの音声信号とパルス状電流とは、ホット側信号線とコールド側信号線とにそれぞれバイパス接続された抵抗により減衰される。つまり、音声信号とパルス状電流との出力機器側への入力は、制限される。その結果、ボツ音は、出力機器から発生しない。
【先行技術文献】
【特許文献】
【０００９】
【特許文献１】特許第５５４５８５９号明細書
【発明の概要】
【発明が解決しようとする課題】
【００１０】
しかし、特許文献１に開示されたファントム電源回路は、検出回路にトランスを必要とする。そのため、ファントム電源回路の回路構成は、複雑となる。
【００１１】
本発明は、以上のような従来技術の問題点を解決するためになされたもので、簡易な回路構成により、ボツ音の発生を低減することを目的とする。
【課題を解決するための手段】
【００１２】
ファントム電源回路であって、コンデンサマイクロホンに電源を供給するファントム電源と、コンデンサマイクロホンが接続される入力側端子と、コンデンサマイクロホンからの出力信号が入力される出力機器が接続される出力側端子と、入力側端子と出力側端子とを接続する信号線と、ファントム電源と信号線との間に接続されるファントム電源のスイッチと、スイッチの作動時にファントム電源から発生するパルス状電流を検出する検出回路と、検出回路がパルス状電流を検出したとき、出力信号を減衰させる減衰回路と、を有してなり、信号線は、基準電位に接続する基準電位線と、出力信号が流れる出力信号線と、を備え、ファントム電源とスイッチとは、基準電位線と出力信号線との間に直列に接続され、検出回路は、スイッチと基準電位線との間に接続される、ことを特徴とする。
【発明の効果】
【００１３】
本発明によれば、簡易な回路構成により、ボツ音の発生を低減することができる。
【図面の簡単な説明】
【００１４】
【図１】本発明にかかるファントム電源回路の実施の形態を示す回路図である。
【図２】本発明にかかるファントム電源回路の別の実施の形態を示す回路図である。
【発明を実施するための形態】
【００１５】
以下、図面を参照しながら、本発明にかかるファントム電源回路の実施の形態について説明する。
【００１６】
●ファントム電源回路（１）
先ず、本発明にかかるファントム電源回路の実施の形態について説明する。
【００１７】
●ファントム電源回路（１）の構成
図１は、本発明にかかるファントム電源回路の実施の形態を示す回路図である。
ファントム電源回路１０は、不図示のコンデンサマイクロホン（以下「マイクロホン」という。）に電源を供給する。ファントム電源回路１０は、マイクロホンが接続される入力側端子１と、マイクロホンからの出力信号（以下「音声信号」という。）が入力される出力機器が接続される出力側端子２と、入力側端子１と出力側端子２との間を接続する信号線３と、電源部４と、検出回路５と、減衰回路６と、を有してなる。
【００１８】
入力側端子１には、マイクロホンが接続される。入力側端子１は、第１入力側端子１ａと第２入力側端子１ｂと第３入力側端子１ｃとを備える。第１入力側端子１ａは、マイクロホンのグランド（接地）端子に接続される。第２入力側端子１ｂは、マイクロホンの出力端子であるホット側端子に接続される。第３入力側端子１ｃは、マイクロホンの出力端子であるコールド側端子に接続される。
【００１９】
出力側端子２には、出力機器が接続される。出力側端子２は、第１出力側端子２ａと第２出力側端子２ｂと第３出力側端子２ｃとを備える。第１出力側端子２ａは、第１入力側端子１ａと接続してマイクロホンの接地端子に接続される。第２出力側端子２ｂは、第２入力側端子１ｂと接続して第２入力側端子１ｂからの音声信号を出力機器に導出する。第３出力側端子２ｃは、第３入力側端子１ｃと接続して第３入力側端子１ｃからの音声信号を出力機器に導出する。
【００２０】
信号線３は、入力側端子１と出力側端子２とを接続する。信号線３は、第１信号線３ａと第２信号線３ｂと第３信号線３ｃとを備える。第１信号線３ａは、第１入力側端子１ａと第１出力側端子２ａとを接続する基準電位線である。第２信号線３ｂは、第２入力側端子１ｂと第２出力側端子２ｂとを接続するホット側信号線である。第３信号線３ｃは、第３入力側端子１ｃと第３出力側端子２ｃとを接続するコールド側信号線である。第２信号線３ｂと第３信号線３ｃとは、音声信号が流れる出力信号線である。
【００２１】
電源部４は、出力信号線を介してマイクロホンに電源を供給する。電源部４は、ファントム電源ＰＷと、ファントム電源ＰＷのスイッチＳＷ１０と、を備える。電源部４は、第１信号線３ａと出力信号線との間に直列に接続される。
【００２２】
ファントム電源ＰＷは、マイクロホンに電源を供給する直流電源である。スイッチＳＷ１０は、ファントム電源ＰＷのオン状態とオフ状態とを切り換える。ファントム電源ＰＷは、第１信号線３ａとスイッチＳＷ１０との間に直列に接続される。スイッチＳＷ１０は、ファントム電源ＰＷと出力信号線との間に接続される。スイッチＳＷ１０は、第２信号線３ｂと第３信号線３ｃのそれぞれと直列に接続される。
【００２３】
スイッチＳＷ１０と出力信号線との間には、供給抵抗が接続される。供給抵抗は、第１抵抗Ｒ１と第２抵抗Ｒ２とを備える。第１抵抗Ｒ１は、スイッチＳＷ１０と第２信号線３ｂとの間に直列に接続される。第２抵抗Ｒ２は、スイッチＳＷ１０と第３信号線３ｃとの間に直列に接続される。第１抵抗Ｒ１と第２抵抗Ｒ２とは、同じ抵抗値を有する。ファントム電源ＰＷからの供給電流は、第１抵抗Ｒ１と第２抵抗Ｒ２とを介して、第２信号線３ｂと第３信号線３ｃとに等しく分割される。
【００２４】
検出回路５は、スイッチＳＷ１０の作動時、すなわち、スイッチＳＷ１０のオン状態とオフ状態との切り替え時に、後述するパルス状電流を検出する。検出回路５は、第１コンデンサＣ１と第３抵抗Ｒ３と第１トランジスタＱ１と第２トランジスタＱ２とを備える。検出回路５は、スイッチＳＷ１０と第１信号線３ａとの間に接続される。
【００２５】
第１コンデンサＣ１と第３抵抗Ｒ３とは、微分回路を構成する。第１コンデンサＣ１の一方の端子は、スイッチＳＷ１０と供給抵抗との間に接続される。第１コンデンサＣ１の他方の端子は、第３抵抗Ｒ３に接続される。第３抵抗Ｒ３は、第１コンデンサＣ１と第１信号線３ａとの間に、第１コンデンサＣ１と直列に接続される。微分回路は、第１コンデンサＣ１の一方の端子を入力端子とし、第１コンデンサＣ１と第３抵抗Ｒ３との接続点を出力端子とする。
【００２６】
第１トランジスタＱ１と第２トランジスタＱ２とは、パルス状電流に応じて作動するトランジスタ回路を構成する。第１トランジスタＱ１と第２トランジスタＱ２とは、例えば、ＮＰＮ型のトランジスタである。第１トランジスタＱ１のコレクタは、第２トランジスタＱ２のコレクタに接続される。第１トランジスタＱ１のエミッタと、第２トランジスタＱ２のベースとは、第１信号線３ａに接続される。第１トランジスタＱ１のベースと、第２トランジスタＱ２のエミッタとは、第１コンデンサＣ１と第３抵抗Ｒ３との接続点に接続される。すなわち、第１トランジスタＱ１のベースと、第２トランジスタＱ２のエミッタとは、第３抵抗Ｒ３を介して第１信号線３ａに接続される。
【００２７】
検出回路５のパルス状電流の検出状態は、第１検出状態と第２検出状態とを備える。第１検出状態は、検出回路５がパルス状電流を検出した状態である。このとき、トランジスタ回路は、後述するとおりコレクタとエミッタとの間に電流を流すオン状態である。第２検出状態は、検出回路５がパルス状電流を検出しない状態である。このとき、トランジスタ回路は、後述するとおりコレクタとエミッタとの間に電流を流さないオフ状態である。
【００２８】
減衰回路６は、検出回路５がパルス状電流を検出したとき、出力信号線に流れる音声信号を減衰させる。減衰回路６は、スイッチ回路Ｓと減衰抵抗ＲａとフォトリレーＰＲとを備える。減衰回路６は、第１信号線３ａと第２信号線３ｂと検出回路６とに接続される。
【００２９】
スイッチ回路Ｓは、検出回路５のパルス状電流の検出状態に応じて作動する、減衰回路６のスイッチとして機能する。スイッチ回路Ｓは、第２コンデンサＣ２と第３トランジスタＱ３とから構成される。
【００３０】
第２コンデンサＣ２は、後述のとおり、第３トランジスタＱ３のトリガーとして機能する。第２コンデンサＣ２は、スイッチＳＷ１０と第１信号線３ａとの間に接続される。スイッチＳＷ１０と第２コンデンサＣ２との間には、第２コンデンサＣ２の電位を決定する第４抵抗Ｒ４が接続される。第４抵抗Ｒ４と第２コンデンサＣ２との間には、第１トランジスタＱ１のコレクタと第２トランジスタＱ２のコレクタとが、それぞれ接続される。
【００３１】
第３トランジスタＱ３は、第２コンデンサＣ２の電位に応じて作動する。第３トランジスタＱ３は、スイッチＳＷ１０と第１信号線３ａとの間に接続される。第３トランジスタＱ３のコレクタは、スイッチＳＷ１０に接続される。第３トランジスタＱ３のベースは、第４抵抗Ｒ４と第２コンデンサＣ２との間に接続される。すなわち、第３トランジスタＱ３のベースは、第１トランジスタＱ１のコレクタと第２トランジスタＱ２のコレクタとに接続される。第３トランジスタＱ３のエミッタは、第１信号線３ａに接続される。
【００３２】
減衰抵抗Ｒａは、出力信号線に流れる音声信号を減衰させる。減衰抵抗Ｒａは、第５抵抗（以下「第１減衰抵抗」という。）Ｒ５と第６抵抗（以下「第２減衰抵抗」という。）Ｒ６とから構成される。減衰抵抗Ｒａの抵抗値は、音声信号を減衰、もしくは遮断させる程度に高い抵抗値である。減衰抵抗Ｒａは、出力信号線に直列に接続される。
【００３３】
第１減衰抵抗Ｒ５は、第２信号線３ｂのうち、第１抵抗Ｒ１と第２信号線３ｂとの接続点（以下「接続点Ｐ１」という。）と、第２出力側端子２ｂと、の間に直列に接続される。第２減衰抵抗Ｒ６は、第３信号線３ｃのうち、第２抵抗Ｒ２と第３信号線３ｃとの接続点（以下「接続点Ｐ２」という。）と、第３出力側端子２ｃと、の間に直列に接続される。
【００３４】
フォトリレーＰＲは、スイッチ回路Ｓの作動に応じて、出力信号線を流れる音声信号の供給抵抗Ｒａへの流入の有無を決定する。フォトリレーＰＲは、第１フォトリレーＰＲ１と第２フォトリレーＰＲ２とから構成される。第１フォトリレーＰＲ１は、第１発光素子Ｄ１と第１リレー接点Ｒｙ１とを備える。第２フォトリレーＰＲ２は、第２発光素子Ｄ２と第２リレー接点Ｒｙ２とを備える。フォトリレーＰＲが備えるリレー接点は、後述するとおり、スイッチ回路Ｓの作動により開閉する。
【００３５】
第１発光素子Ｄ１と第２発光素子Ｄ２とは、ファントム電源ＰＷからの電源の供給により発光する。第１発光素子Ｄ１と第２発光素子Ｄ２とは、例えば、発光ダイオードである。第１発光素子Ｄ１と第２発光素子Ｄ２とは、スイッチＳＷ１０と、第３トランジスタＱ３のコレクタと、の間に直列に接続される。
【００３６】
第１リレー接点Ｒｙ１は、第１発光素子Ｄ１の光に応じて作動する。第１リレー接点Ｒｙ１は、第２信号線３ｂに第１減衰抵抗Ｒ５と並列に接続される。第２リレー接点Ｒｙ２は、第２発光素子Ｄ２の光に応じて作動する。第２リレー接点Ｒｙ２は、第３信号線３ｃに第２減衰抵抗Ｒ６と並列に接続される。
【００３７】
第１リレー接点Ｒｙ１と第２リレー接点Ｒｙ２とは、ノーマリーオフ型のいわゆるａ接点である。すなわち、第１リレー接点Ｒｙ１は、第１発光素子Ｄ１が発光すると開く。第１リレー接点Ｒｙ１は、第１発光素子Ｄ１が発光を停止（消灯）すると閉じる。第２リレー接点Ｒｙ２は、第２発光素子Ｄ２が発光すると開く。第２リレー接点Ｒｙ２は、第２発光素子Ｄ２が消灯すると閉じる。
【００３８】
ここで、前述したフォトリレーＰＲが備えるリレー接点の開閉は、検出回路５の検出状態との関係で以下のとおりとなる。すなわち、フォトリレーＰＲは、検出回路５の検出状態が第１検出状態のとき、第１リレー接点Ｒｙ１と第２リレー接点Ｒｙ２とを開く。フォトリレーＰＲは、検出回路５の検出状態が第２検出状態のとき、第１リレー接点Ｒｙ１と第２リレー接点Ｒｙ２とを閉じる。
【００３９】
前述したとおり減衰回路６が接続されるため、スイッチ回路Ｓは、減衰抵抗Ｒａの入力側端子１側の端子と、第１信号線３ａと、の間に接続される。
【００４０】
第２信号線３ｂのうち、第１接続点Ｐ１と第２出力側端子２ｂとの間には、第３コンデンサＣ３が接続される。第３信号線３ｃのうち、第２接続点Ｐ２と第３出力側端子２ｃとの間には、第４コンデンサＣ４が接続される。第３コンデンサＣ３と第４コンデンサＣ４とは、ファントム電源ＰＷの直流電流が出力機器側に入力されることを遮断する遮断コンデンサである。第３コンデンサＣ３の第２出力側端子２ｂ側の端子は、第３コンデンサＣ３の両端の電位を決定する第７抵抗Ｒ７を介して第１信号線３ａに接続される。第４コンデンサＣ４の第３出力側端子２ｃ側の端子は、第４コンデンサＣ４の両端の電位を決定する第８抵抗Ｒ８を介して第１信号線３ａに接続される。
【００４１】
●ファントム電源回路（１）の動作
次に、ファントム電源回路１０の動作について説明する。
【００４２】
まず、スイッチＳＷ１０がオン状態のときのファントム電源回路１０の動作について説明する。このとき、ファントム電源ＰＷからの直流電流は、第１コンデンサＣ１により遮断される。つまり、検出回路５には電流が流れない。
【００４３】
第１トランジスタＱ１のベースとエミッタとは、共に第１信号線３ａに接続されて接地される。そのため、第１トランジスタＱ１のベースの電位（以下「ベース電位」という。）とエミッタの電位（以下「エミッタ電位」という。）とは、略同一となる。つまり、第１トランジスタＱ１は、コレクタとエミッタとの間に電流を流さないオフ状態である。
【００４４】
第２トランジスタＱ２のベースとエミッタとは、共に第１信号線３ａに接続されて接地される。そのため、第２トランジスタＱ２のベース電位とエミッタ電位とは、略同一となる。つまり、第２トランジスタＱ２は、コレクタとエミッタとの間に電流を流さないオフ状態である。
【００４５】
したがって、トランジスタ回路はオフ状態である。すなわち、検出回路６の検出状態は、スイッチＳＷ１０がオン状態（以下「平常状態」という。）のとき、第２検出状態である。
【００４６】
一方、第２コンデンサＣ２は、第４抵抗Ｒ４を介して所定の電荷に充電される。そのため、第２コンデンサＣ２の両端には、所定の電位の電位差が生じる。第３トランジスタＱ３のベース電位は、第２コンデンサＣ２により所定の電位に維持される。このとき、第３トランジスタＱ３のベース電位は、第３トランジスタＱ３のエミッタが第１信号線３ａに接続されて接地されるため、エミッタ電位よりも高い。すなわち、第３トランジスタＱ３は、コレクタとエミッタとの間に電流を流すオン状態である。つまり、スイッチ回路Ｓはオン状態である。
【００４７】
スイッチ回路Ｓがオン状態のとき、第１発光素子Ｄ１と第２発光素子Ｄ２とは、発光している。第１リレー接点Ｐ１は、第１発光ダイオードＤ１の光を受光して閉じる。第２リレー接点Ｐ２は、第２発光ダイオードＤ２の光を受光して閉じる。すなわち、フォトリレーＰＲは、第１リレー接点Ｒｙ１と第２リレー接点Ｒｙ２とを閉じたオン状態である。
【００４８】
第２信号線３ｂを流れる音声信号は、第１リレー接点Ｒｙ１と第２出力側端子２ｂとを介して出力機器へ入力される。第３信号線３ｃを流れる音声信号は、第２リレー接点Ｒｙ２と第３出力側端子２ｃとを介して出力機器へ入力される。すなわち、出力信号線を流れる音声信号は、平常状態のとき減衰されない。
【００４９】
次に、スイッチＳＷ１０が作動してオン状態からオフ状態へと切り替わったとき（以下「第１切替時」という。）のファントム電源回路１０の動作について説明する。
【００５０】
スイッチＳＷ１０がオン状態からオフ状態へと切り替わると、ファントム電源ＰＷからの供給電流は、出力信号線に流れない。このとき、スイッチＳＷ１０は、極短時間、いわゆるチャタリングを引き起こす。この間、ファントム電源ＰＷには、パルス状電流が発生する。パルス状電流は、検出回路６の微分回路を介して、トランジスタ回路へと入力される。また、このパルス状電流は、供給抵抗を介して出力信号線に流れる。
【００５１】
パルス状電流がトランジスタ回路に入力されると、第１トランジスタＱ１のベース電位と第２トランジスタＱ２のエミッタ電位とは、後述するとおりパルス状電流によって変動する。
【００５２】
微分回路から出力されたパルス状電流が正の極性を持つとき、第１トランジスタＱ１のベース電位は、上昇してエミッタ電位よりも高くなる。そのため、第１トランジスタＱ１は、コレクタとエミッタとの間に電流を流すオン状態となる。第２トランジスタＱ２のエミッタ電位は、上昇してベース電位よりも高くなる。そのため、第２トランジスタＱ２は、オフ状態を維持する。
【００５３】
一方、微分回路から出力されたパルス状電流が負の極性を持つとき、第１トランジスタＱ１のベース電位は、低下してエミッタ電位よりも低くなる。そのため、第１トランジスタＱ１は、オフ状態を維持する。第２トランジスタＱ２のエミッタ電位は、下降して相対的にベース電位よりも低くなる。そのため、第２トランジスタＱ２は、コレクタとエミッタとの間に電流を流すオン状態となる。
【００５４】
このように、検出回路５は、トランジスタ回路にパルス状電流が入力されると、第１トランジスタＱ１または第２トランジスタＱ２のいずれか一方がオン状態となる。すなわち、検出回路５は、トランジスタ回路がオン状態となることで、パルス状電流を検出する。
【００５５】
トランジスタ回路がオン状態となると、トランジスタ回路に接続されている第２コンデンサＣ２は、両端が短絡する。したがって、第２コンデンサＣ２は、電荷を放出（放電）する。その結果、第２コンデンサＣ２により所定の電位に維持されていた第３トランジスタＱ３のベース電位は、アース（接地）電位まで低下する。そのため、第３トランジスタＱ３のベース電位とエミッタ電位とは略同一となる。すなわち、第３トランジスタＱ３は、コレクタとエミッタとの間に電流を流さないオフ状態となる。つまり、スイッチ回路Ｓはオフ状態である。
【００５６】
スイッチ回路Ｓがオフ状態のとき、第１発光素子Ｄ１と第２発光素子Ｄ２とには、電流が流れない。すなわち、第１発光素子Ｄ１と第２発光素子Ｄ２とは、消灯する。このとき、第１リレー接点Ｒｙ１と第２リレー接点Ｒｙ２とは、開く。すなわち、フォトリレーＰＲは、第１リレー接点Ｒｙ１と第２リレー接点Ｒｙ２とが開いたオフ状態となる。
【００５７】
第２信号線３ｂに流れる音声信号は、第１フォトリレーＰＲ１がオフ状態になると、第１減衰抵抗Ｒ５に流れる。第３信号線３ｃに流れる音声信号は、第２フォトリレーＰＲ２がオフ状態になると、第２減衰抵抗Ｒ６に流れる。つまり、出力信号線を流れる音声信号は、減衰抵抗Ｒａにより減衰、もしくは遮断される。そのため、パルス状電流が音声信号と共に出力機器に入力されても、ボツ音の発生は低減される。
【００５８】
また、出力信号線を流れるパルス状電流は、音声信号と同様に減衰抵抗Ｒａにより減衰、もしくは遮断される。そのため、ボツ音の発生は、さらに抑制される。
【００５９】
次に、スイッチＳＷ１０がオフ状態のときのファントム電源回路１０の動作について説明する。
【００６０】
この状態では、パルス状電流は発生しない。そのため、検出回路５の検出状態は、第２検出状態である。減衰回路６は、ファントム電源ＰＷからの電源が供給されないため、作動しない。このとき、第２コンデンサＣ２は、放電されている。
【００６１】
次に、スイッチＳＷ１０が作動してオフ状態からオン状態へと切り替わったとき（以下「第２切替時」という。）のファントム電源回路１０の動作について説明する。
【００６２】
スイッチＳＷ１０がオフ状態からオン状態へと切り替わると、第１切替時と同様に、ファントム電源ＰＷにはパルス状電流が発生する。このとき、パルス状電流は、第１切替時と同様に検出回路５に検出される。すなわち、検出回路５の検出状態は、第１検出状態である。パルス状電流が検出回路５に検出されている間、トランジスタ回路はオン状態を維持する。そのため、第２コンデンサＣ２は、充電されない。第３トランジスタＱ３は、第２コンデンサＣ２が充電されるまでの間、オフ状態を維持する。その結果、第１フォトリレーＰＲ１と第２フォトリレーＰＲ２とは、オフ状態を維持する。
【００６３】
したがって、第２信号線３ｂに流れる音声信号は、第１減衰抵抗Ｒ５に流れる。第３信号線３ｃに流れる音声信号は、第２減衰抵抗Ｒ６に流れる。つまり、出力信号線を流れる音声信号は、減衰抵抗Ｒａにより減衰、もしくは遮断される。そのため、パルス状電流が音声信号と共に出力機器に入力されても、ボツ音の発生は低減される。
【００６４】
また、供給抵抗を介して出力信号線に流れるパルス状電流は、音声信号と同様に、減衰抵抗Ｒａによって減衰、もしくは遮断される。そのため、ボツ音の発生は、さらに抑制される。
【００６５】
ここで、パルス状電流の発生が無くなると、トランジスタ回路はオフ状態となる。すなわち、検出回路５の検出状態は、第２検出状態となる。このとき、第２コンデンサＣ２は、第４抵抗Ｒ４を介して所定の電位まで充電される。第２コンデンサＣ２の充電が完了すると、第３トランジスタＱ３のベース電位は、所定の電位に維持される。そのため、第３トランジスタＱ３はオン状態となる。第３トランジスタＱ３がオン状態になると、フォトリレーＰＲはオン状態となる。したがって、出力信号線を流れる音声信号は、減衰されることなく出力機器へと入力される。
【００６６】
このように、第１切替時と第２切替時とのいずれにおいても、出力信号線を流れる音声信号は、減衰回路６により減衰、もしくは遮断される。そのため、パルス状電流が音声信号と共に出力機器に入力されても、ボツ音の発生は抑制される。また、平常状態においては、音声信号は、減衰されることなく出力機器へと入力される。
【００６７】
●まとめ
以上説明した実施の形態によれば、検出回路５は、スイッチＳＷ１０を切り換えたときに発生するパルス状電流を検出する。パルス状電流の検出は、微分回路とトランジスタ回路という簡易な構成の検出回路５により実現される。出力信号線を流れる音声信号とパルス状電流とは、検出回路５がパルス状電流を検出している間、減衰回路６により減衰、もしくは遮断される。すなわち、ファントム電源回路１０は、簡易な回路構成により、スイッチＳＷ１０の作動時の出力機器からのボツ音の発生を低減することができる。
【００６８】
●ファントム電源回路（２）●
次に、本発明にかかるファントム電源回路の別の実施の形態について、先に説明した実施の形態（以下「第１実施形態」という。）と異なる部分を中心に説明する。本実施の形態にかかるファントム電源回路は、スイッチの接続、すなわち、電源部の接続が第１実施形態と異なる。
【００６９】
●ファントム電源回路（２）の構成
図２は、本発明にかかるファントム電源回路の別の実施の形態の回路図である。
ファントム電源回路２０は、電源部４Ａを有してなる。
【００７０】
電源部４Ａは、ファントム電源ＰＷと、ファントム電源ＰＷのスイッチＳＷ２０と、を備える。
【００７１】
スイッチＳＷ２０は、ファントム電源ＰＷのオン状態とオフ状態とを切り換える。スイッチＳＷ２０は、ファントム電源ＰＷと出力信号線との間に直接に接続される。スイッチＳＷ２０と出力信号線との間には、供給抵抗が接続される。
【００７２】
スイッチ回路Ｓは、スイッチＳＷ２０とファントム電源ＰＷとの接続点（以下「接続点Ｐ３」という。）と、第１信号線３ａと、の間に接続される。すなわち、第３トランジスタＱ３のコレクタは、接続点Ｐ３に接続される。第２コンデンサＣ２は、第４抵抗Ｒ４を介して接続点Ｐ３に接続される。つまり、第２コンデンサＣ２は、スイッチＳＷ２０を介在せずにファントム電源ＰＷに接続される。そのため、第２コンデンサＣ２は、スイッチＳＷ２０の作動に関係なく、第４抵抗Ｒ４を介して充電される。
【００７３】
●ファントム電源（２）の動作
次に、ファントム電源回路２０の動作について説明する。
【００７４】
まず、スイッチＳＷ２０がオン状態（平常状態）のときのファントム電源回路２０の動作について説明する。このとき、ファントム電源回路２０は、第１実施形態のファントム電源回路１０と同じ動作をする。すなわち、出力信号線を流れる音声信号は、平常状態のとき減衰されない。
【００７５】
次に、スイッチＳＷ２０が作動してオン状態からオフ状態へと切り替わったとき（第１切替時）のファントム電源回路２０の動作について説明する。このとき、ファントム電源回路２０は、第１実施形態のファントム電源回路１０と同じ動作をする。すなわち、出力信号線を流れる音声信号は、減衰抵抗Ｒａにより減衰、もしくは遮断される。また、出力信号線を流れるパルス状電流は、音声信号と同様に減衰抵抗Ｒａにより減衰、もしくは遮断される。そのため、パルス状電流が音声信号と共に出力機器に入力されても、ボツ音の発生は低減される。ここで、第２コンデンサＣ２は、トランジスタ回路がオフ状態になると充電される。
【００７６】
次に、スイッチＳＷ２０がオフ状態のときのファントム電源回路２０の動作について説明する。このとき、第２コンデンサＣ２の動作を除き、ファントム電源回路２０は、第１実施形態のファントム電源回路１０と同じ動作をする。すなわち、出力信号線を流れる音声信号は減衰されない。ここで、第２コンデンサＣ２は、前述したとおり直接ファントム電源ＰＷに接続されるため、スイッチＳＷ２０がオフ状態のときでも充電される。
【００７７】
次に、スイッチＳＷ２０が作動してオフ状態からオン状態へと切り替わったとき（第２切替時）のファントム電源回路２０の動作について説明する。このとき、パルス状電流は、検出回路５により検出される。すなわち、検出回路５の検出状態は、第１検出状態である。パルス状電流が検出回路５に検出されている間、トランジスタ回路はオン状態を維持する。そのため、第２コンデンサＣ２が放電して、第３トランジスタＱ３はオフ状態となる。
【００７８】
したがって、出力信号線に流れる音声信号は、減衰抵抗Ｒａにより減衰、もしくは遮断される。供給抵抗を介して出力信号線に流れるパルス状電流は、音声信号と同様に、減衰抵抗Ｒａによって減衰、もしくは遮断される。そのため、パルス状電流が音声信号と共に出力機器に入力されても、ボツ音の発生は低減される。
【００７９】
●まとめ
以上説明した実施の形態によれば、検出回路５は、スイッチＳＷ２０を切り換えたときに発生するパルス状電流を検出する。出力信号線を流れる音声信号は、検出回路５がパルス状電流を検出している間、減衰回路６により減衰、もしくは遮断される。すなわち、ファントム電源回路２０は、簡易な回路構成により、スイッチＳＷ２０の作動時の出力機器からのボツ音の発生を低減することができる。
【００８０】
また、第２コンデンサＣ２は、検出回路５の検出状態が第２検出状態のとき、常に充電される。そのため、ファントム電源回路２０は、第２切替時にパルス状電流が発生しなければ、第１実施形態のファントム電源回路１０と比較して、第２コンデンサＣ２が充電される時間の分、早く立ち上がる。
【符号の説明】
【００８１】
１        入力側端子
１ａ      第１入力側端子
１ｂ      第２入力側端子
１ｃ      第３入力側端子
２        出力側端子
２ａ      第１出力側端子
２ｂ      第２出力側端子
２ｃ      第３出力側端子
３        信号線
３ａ      第１信号線
３ｂ      第２信号線
３ｃ      第３信号線
４        電源部
４Ａ      電源部
５        検出回路
６        減衰回路
１０      ファントム電源回路
２０      ファントム電源回路
ＳＷ１０  スイッチ
ＳＷ２０  スイッチ
ＰＷ      ファントム電源
Ｃ        コンデンサ
Ｄ        発光素子
Ｑ        トランジスタ
Ｒ        抵抗
Ｒａ      減衰抵抗
ＰＲ      フォトリレー
Ｒｙ      リレー接点
【図１】
2017092589.tif 000003
【図２】
2017092589.tif 000004